(57)【要約】　　　（修正有）【課題】従来のような試験制御言語による複雑な試験手順を記述することなく通信端末のプロトコル試験を可能にして、プロトコル試験の作業効率化及び作業軽減を図るプロトコル試験装置を提供する。【解決手段】外部から入力した試験制御言語による試験手順４を信号読取手段７により試験制御言語の種類を識別して読み込み、言語変換手段５により、読み込まれた試験制御言語の種類に応じて試験制御手段１０が解読可能なそれぞれの試験制御言語に共通な中間言語６に変換して記憶手段８に変換結果を格納しておき、試験制御手段１０により逐次記憶手段８から読み出された中間言語６と通信端末２の通信手順とを比較して通信端末２のプロトコル試験を実行する。【選択図】　図１
2004088183.tif 000002
【特許請求の範囲】
【請求項１】
異なる種類の試験制御言語で記述した試験手順を読み取る読取手段と、前記試験手順を前記試験制御言語の全てについて共通な中間言語に変換する言語変換手段と、通信端末の通信手順と前記中間言語による試験手順とを比較して前記通信端末のプロトコル試験を実行する試験制御手段とを有することを特徴とするプロトコル試験装置。
【請求項２】
実在する通信網の通信手順及び制御信号の採取を指示する指示装置と、採取した通信手順及び制御信号を中間言語に変換する信号採取変換手段と、通信端末の通信手順と前記中間言語による試験手順とを比較して前記通信端末のプロトコル試験を実行する試験制御手段とを有することを特徴とするプロトコル試験装置。
【請求項３】
複数の異なる種類の試験制御言語で記述した試験手順を読み取る信号読取手段と、前記試験手順を前記試験制御言語の全てについて共通な第１の中間言語に変換する言語変換手段と、実在する通信網の通信手順及び制御信号の採取を指示する指示装置と、採取した通信手順及び制御信号を第２の中間言語に変換する信号採取変換手段と、通信端末の通信手順と前記第１のまたは第２の中間言語による試験手順とを比較して前記通信端末のプロトコル試験を実行する試験制御手段とを有することを特徴とするプロトコル試験装置。
【請求項４】
異なる種類の試験制御言語で記述した試験手順を外部から読み取る工程と、読み取られた試験手順を前記試験制御言語の全てに共通な中間言語に変換して記憶する工程と、通信端末の通信手順を前記中間言語による試験手順と比較して前記通信端末のプロトコル試験を実行する工程とを有することを特徴とするプロトコル試験方法。
【請求項５】
現在接続されている通信網の通信手順及び制御信号の採取を指示する工程と、採取した通信手順及び制御信号を中間言語に変換して記憶する工程と、通信端末の通信手順と前記中間言語による試験手順とを比較して前記通信端末のプロトコル試験を実行する工程とを有することを特徴とするプロトコル試験方法。
【発明の詳細な説明】
【０００１】
【発明の属する技術分野】
本発明は、通信端末のプロトコルを試験して正常に機能するかどうかを確認するプロトコル試験装置及びプロトコル試験方法に関するものである。
【０００２】
【従来の技術】
従来、通信端末のプロトコル試験装置としては、図２に示すようなものがあった。図２に示すプロトコル試験装置１は、試験制御言語により試験実施者が意図する試験の手順や制御信号をまとめて記述した試験手順４と、試験手順４の信号読取手段７と、信号読取手段７で読み取った試験制御言語の試験手順４を中間言語６に変換する言語変換手段５と、試験手順４から変換した中間言語６を記憶する記憶手段８と、試験対象である通信端末２と制御信号１３を相互に送受信し中間言語６を解読して通信端末２のプロトコル試験を実行する試験制御手段１０と、試験者によりプロトコル試験の開始や停止等を指示する指示装置１１とにより構成される。
【０００３】
上記のような従来の通信端末やその他の通信機器のプロトコル試験装置は、通信端末等を試験する場合、プロトコル試験装置専用の試験制御言語のみが使用できるものであり、また正しい試験手順で試験を実施するためには、試験に使用するプロトコル試験装置専用の試験制御言語により、実在する通信網と同じ複雑な通信手順および内容が同一の制御信号をそれぞれ試験実施者が試験手順として記述する必要があった。
【０００４】
【発明が解決しようとする課題】
しかしながら、通信端末のプロトコル試験の分野においては、近年標準化された試験制御言語や試験装置独自の試験制御言語の仕様をもつプロトコル試験装置が増加している。しかし、この場合、それぞれのプロトコル試験装置毎にプロトコル試験装置独自の試験制御言語を習熟した上で、試験手順や制御信号を記述する必要があり、その上、記述した試験制御手順を種類の異なる複数のプロトコル試験装置間で共有したり再利用できないという非効率な問題があった。
【０００５】
また、従来は、試験制御言語により試験実施者が記述した試験手順に従った試験の結果を、プロトコル試験装置に記録し保持することは可能であったが、実際の通信網から採取して記録し保持した通信手順及び制御信号を、試験手順としてそのまま利用することは出来ず、正しい手順でプロトコル試験を実施する場合は、実際の通信網で送受信されるのと同様の複雑な通信手順及び制御信号を、試験制御言語を用いて記述する必要があり、プロトコル試験の準備に膨大な時間がかかるという問題があった。
【０００６】
本発明は、上記従来の問題を解決するためになされたもので、従来のような試験制御言語による複雑な試験手順を記述することなく通信端末のプロトコル試験を可能とすることにより、通信端末のプロトコル試験の作業効率化及び作業軽減を図り得るプロトコル試験装置及び方法を提供するものである。
【０００７】
【課題を解決するための手段】
本発明におけるプロトコル試験装置は、異なる種類の試験制御言語で記述した試験手順を読み取る読取手段と、前記試験手順を前記試験制御言語の全てについて共通な中間言語に変換する言語変換手段と、通信端末の通信手順と前記中間言語による試験手順とを比較して前記通信端末のプロトコル試験を実行する試験制御手段とを有するという構成を有している。この構成により、あらかじめ決められた種類の異なる複数の試験制御言語で記述された試験手順を、このプロトコル試験装置で実施することができることとなる。
【０００８】
本発明におけるプロトコル試験装置は、実在する通信網の通信手順及び制御信号の採取を指示する指示装置と、採取した通信手順及び制御信号を中間言語に変換する信号採取変換手段と、通信端末の通信手順と前記中間言語による試験手順とを比較して前記通信端末のプロトコル試験を実行する試験制御手段とを有するという構成を有している。この構成により、試験実施者が試験制御言語により実際に試験手順を記述することなしに、実在する通信網の通信手順を試験手順として使用することにより、通信端末のプロトコル試験を実施することができる。
【０００９】
本発明におけるプロトコル試験装置は、複数の異なる種類の試験制御言語で記述した試験手順を読み取る読取手段と、前記試験手順を前記試験制御言語の全てについて共通な第１の中間言語に変換する言語変換手段と、実在する通信網の通信手順及び制御信号の採取を指示する指示装置と、採取した通信手順及び制御信号を第２の中間言語に変換する信号採取変換手段と、通信端末の通信手順と前記第１のまたは第２の中間言語による試験手順とを比較して前記通信端末のプロトコル試験を実行する試験制御手段とを有するという構成を有している。この構成により、あらかじめ決められた種類の異なる複数の試験制御言語で記述された試験手順を、このプロトコル試験装置で実施することができるとともに、試験実施者が試験制御言語により実際に試験手順を記述することなしに、実在する通信網の通信手順を試験手順として使用することにより、通信端末のプロトコル試験を実施することができる。
【００１０】
本発明におけるプロトコル試験方法は、異なる種類の試験制御言語で記述した試験手順を外部から読み取る工程と、読み取られた試験手順を前記試験制御言語の全てに共通な中間言語に変換して記憶する工程と、通信端末の通信手順を前記中間言語による試験手順と比較して前記通信端末のプロトコル試験を実行する工程とを有するという構成を有している。この構成により、あらかじめ決められた種類の異なる複数の試験制御言語で記述された試験手順を、同一種類の試験手順として、このプロトコル試験装置で実施することができることとなる。
【００１１】
本発明におけるプロトコル試験方法は、現在接続されている通信網の通信手順及び制御信号の採取を指示する工程と、採取した通信手順及び制御信号を中間言語に変換して記憶する工程と、通信端末の通信手順と前記中間言語による試験手順とを比較して前記通信端末のプロトコル試験を実行する工程とを有するという構成を有している。この構成により、試験実施者が試験手順を記述することなしに、実在する通信網の通信手順を試験手順として使用することにより、通信端末のプロトコル試験を実施することができることとなる。
【００１２】
【発明の実施の形態】
以下、添付図面に基づき、本発明の一実施の形態を詳細に説明する。
まず、図１を参照して、本発明の一実施の形態におけるプロトコル試験装置の構成を説明する。図１に示すプロトコル試験装置１は、試験制御言語により試験実施者が意図する試験の手順や制御信号をまとめて記述した試験手順４と、試験手順４の信号読取手段７と、信号読取手段７で読み取った試験制御言語の試験手順４を中間言語６に変換する言語変換手段５と、試験手順４から変換した中間言語６を記憶する記憶手段８と、実在する通信網である実通信網１２と、実通信網１２から採取した通信手順及び制御信号を中間言語６に変換する信号採取変換手段９と、試験対象である通信端末２と制御信号１３を相互に送受信し中間言語６を解読して通信端末２のプロトコル試験装置を実行する試験制御手段１０と、試験者によりプロトコル試験の開始や停止等を指示する指示装置１１とにより構成される。
【００１３】
次に、同じく図１を参照して、本発明の一実施の形態におけるプロトコル試験装置の構成を更に詳細に説明する。試験手順４は試験制御言語により試験実施者が意図する試験の手順や制御信号をまとめて記述したものであり、パーソナルコンピュータ、紙及び磁気記録手段など（以下、試験手順記録手段（図示せず）という）如何なる試験手順記録手段に格納したものでもよく、読取手段７で読み取り可能なものであれば、試験手順記録手段の形態の如何は問わない。また、試験手順記録手段の読取手段７に対する接続は、有線、無線または磁気記録カードの差し込み方式など、如何なる方法でもよい。更に、試験手順４は複数の種類の異なる試験制御言語で記述したものでもよく、また、現在記述したもののみでなく、過去に記述して記録してあるものや市販の磁気記録カード等に記録されているものでもよい。
【００１４】
信号読取手段７は試験手順４をプロトコル試験装置１内に読み込むものでありパーソナルコンピュータが使用可能である。言語変換手段５は、予め定められた種類の試験制御言語を試験制御手段１０が解読できる中間言語６に変換するものであり、マイクロプロセッサが使用可能である。記憶手段８は変換した中間言語６を記憶する記憶手段で、不揮発性メモリや磁気記憶装置等が使用可能である。試験制御手段１０は中間言語６を解読し試験手順４として試験を実行し制御する手段であり、マイクロプロセッサやＬＳＩが使用可能である。ここで、中間言語６とは、複数種類の試験制御言語で記述された試験手順４や実通信網１２から採取した通信手順及び制御信号を試験制御手段１０で解読できるようにしたものである。指示装置１１は試験者が試験の開始や停止及び信号採取変換手段９に対する任意の動作期間の指示を行う作用をもつ。なお、指示装置１１は有線または無線によりプロトコル試験装置１の外部に接続しても、または内部に装着してもよい。実通信網１２は、実在する通信網でよく、ＩＳＤＮ網や公衆移動通信網が想定できる。制御信号１３は通信端末２とプロトコル試験装置１の間で送受信される無線制御信号である。
【００１５】
次に、図１を参照して、本発明の一実施の形態におけるプロトコル試験装置の動作を説明する。まず、試験実施者は、意図するプロトコル試験の手順を試験制御言語で記述した試験手順４を記録した試験手順記録手段をプロトコル試験装置１に接続し、被試験対象である通信端末２を準備してプロトコル試験装置１に接続可能な状態にする。また、実通信網１２を信号採取変換手段９にあらかじめ有線または無線方法により接続しておく。
【００１６】
試験実施者が指示装置１１により試験の開始を指示すると、信号読取手段７が作動して、試験手順記録媒体から試験手順４の読み込みを順次行い、読み込んだ試験手順４を言語変換手段５に対して逐次転送する。次に、言語変換手段５は、試験手順４を受信すると試験制御言語の種類に応じた変換処理を実行して、中間言語６に変換した後、記憶手段８に転送して記憶する。試験制御手段１０は記憶手段８に中間言語６が転送されたことを感知すると、その中間言語６を解読し、通信端末２に対して指定された制御信号１３を送信するとともに、通信端末２から受信した制御信号１３を記憶手段８に格納していく。この際、試験制御手段１０は通信端末２が試験手順４に記述された手順に従って動作するかどうかを検出することにより、プロトコル試験を実行する。
【００１７】
また、試験実施者が実在する実通信網１２の通信手順を利用して試験を実施したい場合は、指示装置１１により既に接続してある実通信網１２の通信手順の採取開始を指定すると、信号採取変換手段９は実通信網１２の通信手順と制御信号の採取を開始し、逐次受信した実通信網１２の通信手順と制御信号を中間言語６に変換して、順次、変換結果を記憶手段８に格納していく。指示装置１１により通信手順の採取停止が指示されると、通信手順の採取動作は停止する。その後、試験実施者が指示装置１１により、採取した試験手順による通信端末２のプロトコル試験の開始を指示すると、試験制御手段１０は記憶手段８に格納してある中間言語６を解読し、指定された制御信号１３を通信端末２に送信するとともに、通信端末２から受信した制御信号１３を記憶手段８に格納していく。この際、試験制御手段１０は通信端末２が実通信網１２から受信した中間言語６による通信手順に従って動作するかどうかを検出することにより、プロトコル試験を実行する。
【００１８】
以上、本実施の形態では、本実施の形態における、パーソナルコンピュータ等からなる信号読取手段７から読み込まれた試験者が意図した任意の試験手順４を用いて通信端末２のプロトコル試験を実施し、または実在の実通信網１２から採取した通信手順を利用してプロトコル試験を実施する例を説明したが、それぞれの試験を単独にもしくは順序を入れ替えて実施しても同様に実施することが出来る。
【００１９】
以上説明した本発明の一実施の形態におけるプロトコル試験を要約すると、外部から入力した試験制御言語による試験手順４を信号読取手段７により試験制御言語の種類を識別して読み込み、言語変換手段５により、読み込まれた試験制御言語の種類に応じて試験制御手段１０が解読可能なそれぞれの試験制御言語に共通な中間言語６に変換して記憶手段８に変換結果を格納しておき、試験制御手段１０により逐次記憶手段８から読み出された中間言語６と通信端末２の通信手順とを比較して通信端末２のプロトコル試験を実行する。
【００２０】
また、実在する実通信網１２から受信した通信手順及び制御信号を信号採取変換手段９によって中間言語６に変換し、その変換結果を記憶手段８に格納しておき、試験制御手段１０により逐次記憶手段８から中間言語６を読み出し、読み出された中間言語６と通信端末２の通信手順とを比較して通信端末２のプロトコル試験を実行する。
【００２１】
【発明の効果】
本発明におけるプロトコル試験装置及びプロトコル試験方法は、上記のように構成され、特に、複雑な試験手順を記述することなく試験手順を外部から入力し、入力した種類の異なる複数の試験手順を中間言語に変換して、共通に使用できるようにしたことにより、通信端末のプロトコル試験の効率化を実現するとともに、実際に試験手順を記述することなく、簡単な手続きにより、実通信網から採取した実在の通信手順と通信端末の通信手順とを比較してプロトコル試験を実行することにより、通信端末のプロトコル試験の作業を軽減することができる。
【図面の簡単な説明】
【図１】本発明の一実施の形態におけるプロトコル試験装置の構成例を示すブロック図、
【図２】従来のプロトコル試験装置の構成例を示すブロック図。
【符号の説明】
１　プロトコル試験装置
２　　通信端末
４　　試験手順
５　変換手段
６　中間言語
７　信号読取装置
８　記憶手段
９　信号採取変換手段
１０　試験制御手段
１１　指示装置
１２　　実通信網
１３　　制御信号
【図１】
2004088183.tif 000003
【図２】
2004088183.tif 000004